(57)【要約】【課題】  土壌状態および農作物の生育状態を入力することにより施肥支援計画、防除支援計画および収穫時期予測が提供されるような高い性能を持った装置あるいは機械を用意する必要がなく、現在栽培中の作物の施肥、防除および収穫時期について適切な情報を得ることができるようにする。【解決手段】  農場で作物を栽培する区画を設定した区画設定日、区画を識別する区画識別情報、作物名等を含む区画情報を設定する手段と、区画情報を蓄積する手段と、実施した農作業および作物の状態記録を区画情報に付加する手段と、区画を解除した区画解除日を区画情報に付加する手段と、作物名により区画情報を検索する手段と、検索した区画情報を区画設定日と区画解除日あるいは検索した検索日との間の気象情報を含む外部情報を付して表示する手段とを有する。【選択図】  図２
2008146425.tif 000002
【特許請求の範囲】
【請求項１】
農場における農作業を管理する農作業管理方法であって、
農場の農場名と、前記農場で栽培する作物の区画を設定した区画設定日と、前記区画を識別する区画識別情報と、前記作物の作物名と、前記作物の栽培者に関わる栽培者情報とを含む区画情報を蓄積する区画情報蓄積ステップと、
前記区画において実施した農作業を示す農作業情報あるいは、および前記作物の状態を記録した作物記録情報を前記区画情報に付加する農作業作物記録情報付加ステップと、
前記区画を解除した場合は解除した区画解除日を前記区画情報に付加する区画解除日付加ステップと、
前記作物名をもとに前記農作業情報あるいは、および前記作物記録情報を検索する場合は、前記作物名に基づき前記区画情報を検索する作物依存区画情報検索ステップと、
前記作物依存区画情報検索により検索された前記区画情報を、前記区画設定日と前記区画解除日あるいは検索した検索日との間の気象情報を含む外部情報を付して表示する区画情報表示ステップと
を備えることを特徴とする農作業管理方法。
【請求項２】
前記請求項１に記載の農作業管理方法において、前記農場の特定の場所に関わる前記農作業情報あるいは、および前記作物記録情報を検索する場合は、前記農場名に基づき前記区画情報を検索する場所依存区画情報検索ステップと、
前記場所依存区画情報検索により検索された前記区画情報の前記区画識別情報を表示する区画識別情報表示ステップと、
前記表示された区画識別情報を特定する区画識別情報特定ステップと、
前記特定された区画識別情報を含む前記区画情報を、前記区画設定日と前記区画解除日あるいは検索した検索日との間の気象情報を含む外部情報を付して表示する区画情報表示ステップと
を備えることを特徴とする農作業管理方法。
【請求項３】
農場における農作業を管理する農作業管理装置であって、
農場の農場名と、前記農場で栽培する作物の区画を設定した区画設定日と、前記区画を識別する区画識別情報と、前記作物の作物名と、前記作物の栽培者に関わる栽培者情報とを含む区画情報を設定する区画情報設定手段と、
前記区画情報を蓄積する区画情報蓄積手段と、
前記区画において実施した農作業を示す農作業情報あるいは、および前記作物の状態を記録した作物記録情報を前記区画情報に付加する農作業作物記録情報付加手段と、
前記区画を解除した区画解除日を前記区画情報に付加する区画解除日付加手段と、
前記作物名により前記区画情報を検索する作物依存区画情報検索手段と、
前記作物依存区画情報検索により検索された前記区画情報を、前記区画設定日と前記区画解除日あるいは検索した検索日との間の気象情報を含む外部情報を付して表示する区画情報表示手段と
を有することを特徴とする農作業管理装置。
【請求項４】
前記請求項３に記載の農作業管理装置において、前記農場名により前記区画情報を検索する場所依存区画情報検索手段と、
前記場所依存区画情報検索により検索された前記区画情報の前記区画識別情報を表示する区画識別情報表示手段と、
前記表示された区画識別情報を特定する区画識別情報特定手段と、
前記特定された区画識別情報を含む前記区画情報を、前記区画設定日と前記区画解除日あるいは検索した検索日との間の気象情報を含む外部情報を付して表示する区画情報表示手段と
を有することを特徴とする農作業管理装置。
【請求項５】
農場における農作業を管理する農作業管理装置上でコンピュータを機能させるための農作業管理プログラムであって、
農場の農場名と、前記農場で栽培する作物の区画を設定した区画設定日と、前記区画を識別する区画識別情報と、前記作物の作物名と、前記作物の栽培者に関わる栽培者情報とを含む区画情報を設定する区画情報設定手段と、
前記区画情報を蓄積する区画情報蓄積手段と、
前記区画において実施した農作業を示す農作業情報あるいは、および前記作物の状態を記録した作物記録情報を前記区画情報に付加する農作業作物記録情報付加手段と、
前記区画を解除した区画解除日を前記区画情報に付加する区画解除日付加手段と、
前記作物名により前記区画情報を検索する作物依存区画情報検索手段と、
前記作物依存区画情報検索により検索された前記区画情報を、前記区画設定日と前記区画解除日あるいは検索した検索日との間の気象情報を含む外部情報を付して表示する区画情報表示手段と
をコンピュータに機能させることを特徴とする農作業管理プログラム。
【請求項６】
前記請求項５に記載の農作業管理プログラムにおいて、前記農場名により前記区画情報を検索する場所依存区画情報検索手段と、
前記場所依存区画情報検索により検索された前記区画情報の前記区画識別情報を表示する区画識別情報表示手段と、
前記表示された区画識別情報を特定する区画識別情報特定手段と、
前記特定された区画識別情報を含む前記区画情報を、前記区画設定日と前記区画解除日あるいは検索した検索日との間の気象情報を含む外部情報を付して表示する区画情報表示手段と
をコンピュータに機能させることを特徴とする農作業管理プログラム。
【発明の詳細な説明】
【技術分野】
【０００１】
本発明は、農場における農作業を管理する農作業管理技術に関する。
【背景技術】
【０００２】
従来の農作業を管理する農作業管理技術としては、農産物の生産から消費者の手に渡るまでの情報を管理させる農作業管理装置を設置し、農作業管理装置が農作物の生産単位区画の位置情報と、そこで栽培される農作物の種類と、生産者に関する情報とを管理データとして持ち、生産者は生産単位区画内に複数設定された作業単位区画毎に測定した土壌状態および農産物の生育状態を農作業管理装置に入力し、農作業管理装置は入力された土壌状態および生育状態から収穫までの施肥支援計画と、防除支援計画と、収穫時期予測とを生産者に提供し、生産者は提供された施肥支援計画および防除支援計画に基づいて実際に行なった施肥および防除の内容を農作業管理装置に入力し、また実際に行った収穫日および収穫量を農作業管理装置に入力し、更に農作業管理装置は出荷する農産物に添付する記憶媒体に記憶する出荷情報を出力するものがある。
【０００３】
これにより農作物の生産者は、土壌状態および農産物の生育状態を農作業管理装置に入力することにより施肥支援計画と、防除支援計画と、収穫時期予測とが提供されることから、これらの計画により以降の施肥および防除を計画的に行うことができ、また収穫時期予測に合せて収穫に必要な設備を手配することが可能になる（例えば、特許文献参照）。
【０００４】
しかしながら、土壌状態および農産物の生育状態を入力することにより、施肥支援計画と、防除支援計画と、収穫時期予測とが提供されるような高い性能を持った農作業管理装置を用意しなければならず、十分な資金がないかぎり導入は難しいものである。
【特許文献１】特開２００２−１４９７４４号公報「農作業管理装置及び農作業管理方法及び農作業機械」
【発明の開示】
【発明が解決しようとする課題】
【０００５】
上記に述べた従来の農作業管理技術にあっては、土壌状態および農産物の生育状態を入力することにより、施肥支援計画と、防除支援計画と、収穫時期予測とが提供されるような高い性能を持った農作業管理装置を用意しなければならず、十分な資金がないかぎり導入できないという問題がある。
【０００６】
ここにおいて、本発明の解決すべき主要な課題は、上記の問題を解決し、高い性能を持った装置あるいは機械を用意する必要がなく、現在栽培中の作物の施肥、防除および収穫時期について適切な情報を得ることができる農作業管理方法、農作業管理装置および農作業管理プログラムを実現することにある。
【課題を解決するための手段】
【０００７】
本発明は、上記の課題を解決する農作業管理方法、農作業管理装置および農作業管理プログラムを実現するために下記に述べるステップあるいは手段を講じるものである。
【０００８】
請求項１に記載の本発明の農作業管理方法は、農場における農作業を管理する農作業管理方法であって、農場の農場名と、前記農場で栽培する作物の区画を設定した区画設定日と、前記区画を識別する区画識別情報と、前記作物の作物名と、前記作物の栽培者に関わる栽培者情報とを含む区画情報を蓄積する区画情報蓄積ステップと、前記区画において実施した農作業を示す農作業情報あるいは、および前記作物の状態を記録した作物記録情報を前記区画情報に付加する農作業作物記録情報付加ステップと、前記区画を解除した場合は解除した区画解除日を前記区画情報に付加する区画解除日付加ステップと、前記作物名をもとに前記農作業情報あるいは、および前記作物記録情報を検索する場合は、前記作物名に基づき前記区画情報を検索する作物依存区画情報検索ステップと、前記作物依存区画情報検索により検索された前記区画情報を、前記区画設定日と前記区画解除日あるいは検索した検索日との間の気象情報を含む外部情報を付して表示する区画情報表示ステップとを備えることを特徴とする。
【０００９】
また、請求項２に記載の本発明の農作業管理方法は、前記農場の特定の場所に関わる前記農作業情報あるいは、および前記作物記録情報を検索する場合は、前記農場名に基づき前記区画情報を検索する場所依存区画情報検索ステップと、前記場所依存区画情報検索により検索された前記区画情報の前記区画識別情報を表示する区画識別情報表示ステップと、前記表示された区画識別情報を特定する区画識別情報特定ステップと、前記特定された区画識別情報を含む前記区画情報を、前記区画設定日と前記区画解除日あるいは検索した検索日との間の気象情報を含む外部情報を付して表示する区画情報表示ステップとを備えることを特徴とする。
【００１０】
上記に述べた方法により、高い性能を持った装置あるいは機械を用意する必要がなく、少ない資金により、過去に栽培したときの農作業情報等が、栽培に大きく影響する気象情報を付して表示されることから、過去の気象情報と現在の気象情報とを比較することにより、過去に栽培したときに行った農作業を栽培中の作物に対しどう行うか、同時期に行うか、前倒しにするか、後にずらした方がよいかを判断することが可能になる。
【００１１】
請求項３に記載の本発明の農作業管理装置は、農場における農作業を管理する農作業管理装置であって、農場の農場名と、前記農場で栽培する作物の区画を設定した区画設定日と、前記区画を識別する区画識別情報と、前記作物の作物名と、前記作物の栽培者に関わる栽培者情報とを含む区画情報を設定する区画情報設定手段と、前記区画情報を蓄積する区画情報蓄積手段と、前記区画において実施した農作業を示す農作業情報あるいは、および前記作物の状態を記録した作物記録情報を前記区画情報に付加する農作業作物記録情報付加手段と、前記区画を解除した区画解除日を前記区画情報に付加する区画解除日付加手段と、前記作物名により前記区画情報を検索する作物依存区画情報検索手段と、前記作物依存区画情報検索により検索された前記区画情報を、前記区画設定日と前記区画解除日あるいは検索した検索日との間の気象情報を含む外部情報を付して表示する区画情報表示手段とを有することを特徴とする。
【００１２】
また、請求項４に記載の本発明の農作業管理装置は、前記農場名により前記区画情報を検索する場所依存区画情報検索手段と、前記場所依存区画情報検索により検索された前記区画情報の前記区画識別情報を表示する区画識別情報表示手段と、前記表示された区画識別情報を特定する区画識別情報特定手段と、前記特定された区画識別情報を含む前記区画情報を、前記区画設定日と前記区画解除日あるいは検索した検索日との間の気象情報を含む外部情報を付して表示する区画情報表示手段とを有することを特徴とする。
【００１３】
上記に述べた装置により、高い性能を持った装置あるいは機械を用意する必要がなく、少ない資金により、過去に栽培したときの農作業情報等が、栽培に大きく影響する気象情報を付して表示されることから、過去の気象情報と現在の気象情報とを比較することにより、過去に栽培したときに行った農作業を栽培中の作物に対しどう行うか、同時期に行うか、前倒しにするか、後にずらした方がよいかを判断することが可能になる。
【００１４】
請求項５に記載の本発明の農作業管理プログラムは、農場における農作業を管理する農作業管理装置上でコンピュータを機能させるための農作業管理プログラムであって、農場の農場名と、前記農場で栽培する作物の区画を設定した区画設定日と、前記区画を識別する区画識別情報と、前記作物の作物名と、前記作物の栽培者に関わる栽培者情報とを含む区画情報を設定する区画情報設定手段と、前記区画情報を蓄積する区画情報蓄積手段と、前記区画において実施した農作業を示す農作業情報あるいは、および前記作物の状態を記録した作物記録情報を前記区画情報に付加する農作業作物記録情報付加手段と、前記区画を解除した区画解除日を前記区画情報に付加する区画解除日付加手段と、前記作物名により前記区画情報を検索する作物依存区画情報検索手段と、前記作物依存区画情報検索により検索された前記区画情報を、前記区画設定日と前記区画解除日あるいは検索した検索日との間の気象情報を含む外部情報を付して表示する区画情報表示手段とをコンピュータに機能させることを特徴とする。
【００１５】
また、請求項６に記載の本発明の農作業管理プログラムは、前記農場名により前記区画情報を検索する場所依存区画情報検索手段と、前記場所依存区画情報検索により検索された前記区画情報の前記区画識別情報を表示する区画識別情報表示手段と、前記表示された区画識別情報を特定する区画識別情報特定手段と、前記特定された区画識別情報を含む前記区画情報を、前記区画設定日と前記区画解除日あるいは検索した検索日との間の気象情報を含む外部情報を付して表示する区画情報表示手段とをコンピュータに機能させることを特徴とする。
【００１６】
上記に述べたプログラムにより、高い性能を持った装置あるいは機械を用意する必要がなく、少ない資金により、過去に栽培したときの農作業情報等が、栽培に大きく影響する気象情報を付して表示されることから、過去の気象情報と現在の気象情報とを比較することにより、過去に栽培したときに行った農作業を栽培中の作物に対しどう行うか、同時期に行うか、前倒しにするか、後にずらした方がよいかを判断することが可能になる。
【発明の効果】
【００１７】
本発明によれば、高い性能を持った装置あるいは機械を用意する必要がなく、少ない資金により、過去に栽培したときの農作業情報等が、栽培に大きく影響する気象情報を付して表示されることから、過去の気象情報と現在の気象情報とを比較することにより、過去に栽培したときに行った農作業を栽培中の作物に対しどう行うか、同時期に行うか、前倒しにするか、後にずらした方がよいかを判断することが可能になる。
【００１８】
また、本発明によれば、更に下記に述べる効果ないし利点がある。
（１）携帯端末装置が利用できることから、農場において農作業情報等の入力や農作業情報等の検索ができ、特別に時間を割いて入力や検索を行う必要がないため、僅かな空時間を有効に使うことができる。
（２）操作が簡単であることから、特別な訓練なしに多くの人が使える。
（３）他の人が蓄積した農作業情報等を参照することができる。またその人との間で音声通話手段を併用することにより、より詳しい農作業情報等を得ることができる。
【発明を実施するための最良の形態】
【００１９】
本発明を実施するための最良の形態について図面を参照して説明する。
【００２０】
（システム構成）
図１は、本発明を用いたシステムの構成例を示す接続図である。同図は本システムが、農作業管理装置１と、通信端末装置２とを有して構成されることを示しており、農作業管理装置１と通信端末２とは通信ネットワーク（図示せず）により、あるいはメモリーカード（図示せず）等を介してオフラインにより接続されることを示している。
【００２１】
農作業管理装置１は、通信機能あるいはメモリーカード等の装着機能を有するＰＣ（Personal Computer）やＰＤＡ（Personal Digital Assistant）等の装置である。
【００２２】
通信端末装置２は、通信機能あるいはメモリーカード等の装着機能を有するＰＣやＰＤＡや携帯電話等の端末装置である。
【００２３】
本発明は、通信端末装置２を使って農作業情報等を農作業管理装置１に送信し、農作業管理装置１が蓄積することや、農作業管理装置１に蓄積した農作業情報等を検索することを可能にするものである。なお、農作業管理装置１は、通信端末装置２を使わずに農作業情報等の蓄積や検索を可能にするものでもある。
【００２４】
（農作業管理装置構成）
次に、図１のシステムにおける構成装置である農作業管理装置１の構成について説明する。
【００２５】
図２は、図１の農作業管理装置１の構成例を示す図である。同図は農作業管理装置１が、
入出力部１１と、区画情報設定部１２と、区画情報制御部１３と、区画情報蓄積部１４と、農作業作物記録情報付加部１５と、区画解除日付加部１６と、検索部１７と、気象情報蓄積部１８とを有して構成されることを示している。
【００２６】
入出力部１１は、農作業管理装置１と外部との入出力インタフェース機能を有する。
【００２７】
区画情報設定部１２は、農場の農場名と、農場で栽培する作物の区画を設定した区画設定日と、区画を識別する区画識別情報と、作物の作物名と、作物の栽培者に係る栽培者情報とを含む区画情報を設定する区画情報設定手段を有する。
【００２８】
区画情報制御部１３は、区画情報蓄積部１４への区画情報の書き込み、および区画情報蓄積部１４からの区画情報の取り出しを制御する機能を有する。
【００２９】
区画情報蓄積部１４は、区画情報を蓄積する区画情報蓄積手段を有する。
【００３０】
農作業作物記録情報付加部１５は、区画において実施した農作業を示す農作業情報あるいは、および作物の状態を記録した作物記録情報を区画情報に付加する農作業作物記録情報付加手段を有する。
【００３１】
区画解除日付加部１６は、区画を解除した区画解除日を区画情報に付加する区画解除日付加手段を有する。
【００３２】
検索部１７は、作物名により区画情報を検索する作物依存区画情報検索手段を有する作物依存区画情報検索部１７１と、作物依存区画情報検索部１７１により検索された区画情報を、区画設定日と区画解除日あるいは検索した検索日との間の気象情報を含む外部情報を付して表示する区画情報表示手段を有する区画情報表示部１７２とを有する。
【００３３】
また、検索部１７は、農場名により区画情報を検索する場所依存区画情報検索手段を有する場所依存区画情報検索部１７３と、場所依存区画情報検索部１７３により検索された区画情報の区画識別情報を表示する区画識別情報表示手段、および区画識別情報特定部１７５から特定された区画識別情報が伝えられると特定された区画識別情報を含む区画情報を区画情報表示部１７２に伝える機能を有する区画識別情報表示部１７４と、区画識別情報表示部１７４により表示された区画識別情報を特定する区画識別情報特定手段を有する区画識別情報特定部１７５とを有する。
【００３４】
気象情報蓄積部１８は、栽培者が、あるいは外部機関が観測した気象情報を蓄積する機能を有する。
【００３５】
（区画情報の蓄積および表示処理）
次に、図１のシステムにおける農作業管理装置１の区画情報の蓄積および表示処理について詳細に説明する。
【００３６】
図３は、図２の農作業管理装置１の区画情報の蓄積および表示処理例を説明するための図である。
【００３７】
農作業は、どこの農場のどの場所でどんな作物を栽培するかを決めることにより始まる。
【００３８】
図３（１）は、農場名がＡである農場の、区画名Ｆ１の場所で、作物名Ｐ１の作物を、区画名Ｆ２の場所で、作物名Ｐ２の作物を、区画名Ｆ３の場所で、作物名Ｐ３の作物を栽培することを決めた例である。ここでは区画名にその位置情報を付加したものを区画識別情報としている。区画名Ｆ１の位置情報はＮ０−Ｎ２、Ｅ０−Ｅ５、Ｓ２−Ｓ０、Ｗ５−Ｗ０であり、区画名Ｆ２の位置情報はＮ２−Ｎ４、Ｅ０−Ｅ３、Ｓ４−Ｓ２、Ｗ３−Ｗ０であり、区画名Ｆ３の位置情報はＮ２−Ｎ４、Ｅ３−Ｅ５、Ｓ４−Ｓ２、Ｗ５−Ｗ３である。位置情報のＮ０〜Ｎ４、Ｅ０〜Ｅ５、Ｓ０〜Ｓ４、Ｗ０〜Ｗ５は農場名Ａの辺に付けた目印であり、等間隔に打ち込んだ杭でも、辺に生えている樹木であってもよい。区画識別情報には面積を付加することも可能である。
【００３９】
図３（２）は区画情報の蓄積処理例である。区画情報は区画名Ｆ１、Ｆ２、Ｆ３毎につくることになり、各々は区画設定日から区画解除日までを１まとめとして蓄積する。区画情報には、先ず始めに区画設定日、農場名、区画識別情報、作物名、栽培者名と栽培者の連絡先とを含む栽培者情報を入れ、この後に農作業情報あるいは作物記録情報を順次付加蓄積し、最後に区画解除日を付加蓄積する。農作業情報、作物記録情報および区画解除日には少なくとも年月日、農場名および区画名を付けて入力する。
【００４０】
図３（３）は区画情報の表示例である。農場名、区画名、作物名および栽培者名を上段に示し、区画設定日、農作業情報、作物記録情報および区画解除日を年月日順に表形式で示している。ここには例示していないが収穫量についても表示することができる。また栽培中の作物の区画情報の表示は区画設定日から検索した検索日までの表示となる。区画情報は区画設定から区画解除までを１つの情報の固まりとして扱っていることから、作物名を指定するだけでその作物を栽培したときの農作業等が、区画を設定したときから作業順に見ることができるようになる。
【００４１】
更に、区画設定日と区画解除日との間の気象情報としては、その日の気温、雨量等を付して表示すことになるが、種を蒔いた日からの気温の積算温度を算出し合わせて表示することができる。これらの表示ができることにより、過去の気象情報と現在の気象情報とを比較することにより、過去に栽培したときに行った農作業を栽培中の作物に対しどう行うか、同時期に行うか、前倒しにするか、後にずらした方がよいかを判断することが可能になる。
【００４２】
なお、場所を指定して検索した場合にあっては、農場名を特定することにより該当する農場の区画識別情報（区画名）を表示し［図３（１）］、その中から該当する区画識別情報（区画名）を特定することにより、特定された区画識別情報（区画名）を含む区画情報［図３（３）］を表示することになる。これにより、指定した場所では、例えば過去にどんな肥料を施したかが、順を追って見ることができるようになる。
【００４３】
（農作業管理装置動作）
次に、図１のシステムにおける農作業管理装置１の動作について説明する。
【００４４】
図４は、図２のシナリオサーバ装置５の動作例を示すフローチャートである。区画情報設定部１２が入出力部１１あるいは通信端末装置２から区画設定情報を受信すると（ステップＡ１）、区画情報制御部１３を介して区画情報蓄積部１４に区画情報を蓄積し（ステップＡ２）、農作業作物記録情報付加部１５あるいは区画解除日付加部１６は入出力部１１あるいは通信端末装置２から農作業作物記録情報あるいは区画解除日が送られてこないかを監視し（ステップＡ３）、農作業作物記録情報付加部１５が農作業作物記録情報を受信すると区画情報制御部１３を介して区画情報蓄積部１４に蓄積した区画情報に付加蓄積し、同様に区画解除日付加部１６が区画解除日を受信すると区画情報制御部１３を介して区画情報蓄積部１４に蓄積した区画情報に付加蓄積する（ステップＡ４）。
【００４５】
作物依存区画情報検索部１７１が作物名による検索を受信すると（ステップＡ５）、区画情報制御部１３を介して作物名により区画情報の検索を行い（ステップＡ６）、区画情報表示部１７２が検索した区画情報に対して区画設定日と区画解除日あるいは検索した検索日との間の気象情報を含む外部情報を付して入出力部１１あるいは通信端末装置２に表示する（ステップＡ７）。
【００４６】
また、農場依存区画情報検索部１７３が農場名による検索を受信すると（ステップＡ８）、農場名により区画情報の検索を行い（ステップＡ９）、区画識別情報表示部１７４が該当する農場の区画情報の区画識別情報（区画名）を入出力部１１あるいは通信端末装置２に表示し（ステップＡ１０）、区画識別情報特定部１７５が入出力部１１あるいは通信端末装置２から送られる区画識別情報（区画名）を特定する情報を受信し、特定された区画識別情報（区画名）を区画識別情報表示部１７４に伝え（ステップＡ１１）、区画識別情報表示部１７４が特定された区画識別情報を含む区画情報を区画情報表示部１７２に伝え（ステップＡ１２）、区画情報表示部１７２が区画情報に対して区画設定日と区画解除日あるいは検索した検索日との間の気象情報を含む外部情報を付して入出力部１１あるいは通信端末装置２に表示する（ステップＡ７）。
【００４７】
（システム動作）
次に、図１におけるシステムの動作について説明する。
【００４８】
図５は、図１のシステムの動作例を示すシーケンスチャートである。同図は通信端末装置２および農作業管理装置１の間のシーケンスを示している。具体的には、農作業情報および作物名による区画情報の検索を通信端末装置２から送信する場合である。
【００４９】
農作業管理装置１が区画情報を蓄積する（ステップＢ１）。通信端末装置２が農作業情報を送信し（ステップＢ２）、農作業管理装置１が受信し該当する区画情報に付加蓄積する（ステップＢ３）。農作業管理装置１は区画が解除されたことにより区画解除日を該当する区画情報に付加蓄積する（ステップＢ４）。
【００５０】
通信端末装置２が作物名による検索を送信すると（ステップＢ５）、農作業管理装置１が受信し作物依存の区画情報の検索を行い（ステップＢ６）、区画情報の表示を通信端末装置２に対して行う（ステップＢ７）。
【００５１】
上記に述べたとおり、本発明を実施するための最良の形態によれば、過去に栽培したときの農作業情報等が、栽培に大きく影響する気象情報を付して表示されることから、過去の気象情報と現在の気象情報とを比較することにより、過去に栽培したときに行った農作業を栽培中の作物に対しどう行うか、同時期に行うか、前倒しにするか、後にずらした方がよいかを判断することが可能になる。農作業情報等としては、自分のものに限らず、上手に栽培した、あるいは栽培している他の人の農作業情報等を参照することができる。
【００５２】
なお、本発明は、図１〜図５を用いて説明した形態に限定されるものではなく、その主旨を逸脱しない範囲において種々変更可能である。
【産業上の利用可能性】
【００５３】
上記に説明したとおり、本発明が産業上の利用が可能であることは明らかである。即ち携帯端末装置が利用できることから、農場において農作業情報等の入力や農作業情報等の検索ができ、特別に時間を割いて入力や検索を行う必要がないため、僅かな空時間を有効に使うことができる。また操作が簡単であることから、特別な訓練なしに多くの人が使える。また他の人が蓄積した農作業情報等を参照することができ、またその人との間で音声通話手段を併用することにより、より詳しい農作業情報等を得ることができる等のことから、サービスの利用が拡大し、システムおよび関連装置の需要が一層高まることが期待できる。
【図面の簡単な説明】
【００５４】
【図１】本発明を用いたシステムの構成例を示す接続図である。
【図２】図１のシステムにおける農作業管理装置の構成例を示す図である。
【図３】区画情報の蓄積および表示処理例を説明する図である。
【図４】図２の農作業管理装置の動作例を示すフローチャートである。
【図５】図１におけるシステムの動作例を示すシーケンスチャートである。
【符号の説明】
【００５５】
１      農作業管理装置
１１    入出力部
１２    区画情報設定部
１３    区画情報制御部
１４    区画情報蓄積部
１５    農作業作物記録情報付加部
１６    区画解除日付加部
１７    検索部
１７１  作物依存区画情報検索部
１７２  区画情報表示部
１７３  農場依存区画情報検索部
１７４  区画識別情報表示部
１７５  区画識別情報特定部
１８    気象情報蓄積部
２      通信端末装置
【図１】
2008146425.tif 000003
【図２】
2008146425.tif 000004
【図３】
2008146425.tif 000005
【図４】
2008146425.tif 000006
【図５】
2008146425.tif 000007